(57)【要約】【課題】構造が簡単な屋根の雪掻きボードとこれを有する雪下ろし機を提供する。【解決手段】雪下ろし機の雪掻きボードは、屋根の傾斜面に配設されるボード１と、該ボード１に連結された一本のワイヤ８と、傾斜面に沿って移動してボード１を傾斜面に沿って移動させるボード移動手段と、該ボード移動手段とともに傾斜面に沿って移動し、ボード１のうち傾斜面に対し平行な方向の略中央部分を中心にボード１を回動自在に支承する支承手段と、ボード１のうち傾斜面に対し平行な方向の一端部に配設され、かつワイヤ８をボード１に係合させる係合手段であって、ワイヤ８を傾斜面に沿って移動させた場合に、ボード１を支承手段を中心に回動させる係合手段と、ボード移動手段とともに傾斜面に沿って移動し、前記回転するボード１に当接して該ボード１の回動を規制する回動規制手段であって、該規制によりボード１は傾斜面に対し垂直な姿勢に維持されるようにした回動規制手段とを具えている。【選択図】図１
2006336308.tif 000002
【特許請求の範囲】
【請求項１】
屋根の傾斜面に配設されるボードと、該ボードに連結されたワイヤとを具え、該ワイヤを前記傾斜面に沿って移動させることにより、前記ボードを尾根と軒先との間で移動させ、また前記ボードを前記傾斜面に対し平行な姿勢と前記傾斜面に対し垂直な姿勢とに姿勢を変更させ、これにより前記傾斜面上に積もった雪を下ろす雪掻きボードにおいて、
前記ワイヤは一本のワイヤからなり、
前記雪掻きボードは、
前記傾斜面に沿って移動して前記ボードを前記傾斜面に沿って移動させるボード移動手段と、
該ボード移動手段とともに前記傾斜面に沿って移動し、前記ボードのうち前記傾斜面に対し平行な方向の略中央部分を中心に前記ボードを回動自在に支承する支承手段と、
前記ボードのうち前記傾斜面に対し平行な方向の一端部に配設され、かつ前記ワイヤを前記ボードに係合させる係合手段であって、前記ワイヤを前記傾斜面に沿って移動させた場合に、前記ボードを前記支承手段を中心に回動させる係合手段と、
前記ボード移動手段とともに前記傾斜面に沿って移動し、前記回転するボードに当接して該ボードの回動を規制する回動規制手段であって、該規制により前記ボードは前記傾斜面に対し前記垂直な姿勢に維持されるようにした回動規制手段
とを具えるようにしたことを特徴とする雪掻きボード。
【請求項２】
前記支承手段は、
前記ボードのうち前記傾斜面に対し平行な方向の略中央部分に配設された軸と、
該軸を介し前記ボードを回動自在に支承するベアリング形式の軸受けと
とを具え、
前記ボード移動手段は、
前記ボードを案内するローラと、
前記ベアリングを支承するとともに前記ローラを回動自在に支承する支承部
とを具え、
前記回動規制手段は、
前記支承部に固定され、前記傾斜面に対し垂直方向に向けて配設されたストッパーからなり、
前記係合手段は、
前記ボードの前記傾斜面に対し平行な方向の一端部に取り付けられ、かつ前記ワイヤの両端部を取り付けるワイヤ取り付けリング
からなることを特徴とする請求項（１）記載の雪掻きボード。
【請求項３】
前記請求項（１）の雪掻きボードを具えた雪下ろし機であって、
前記屋根の傾斜方向に沿って配設され、前記ボード移動手段を前記尾根から前記軒先に案内するレールと、
前記レールに連接され、前記軒先から軒下に延設される曲がりレールであって、二連プーリを配設した曲がりレールと、
前記屋根の軒下に配設され、前記ワイヤを前記傾斜面に沿って移動させるワイヤ移動装置であって、駆動プーリと、該駆動プーリをギヤを介し駆動するモータとを具えてなるワイヤ移動装置と、
前記係合手段に対し、前記二連プーリと反対側に位置する屋根に配置される一連プーリ
とをさらに具え、
前記ワイヤは、前記駆動プーリに巻回されるとともに前記二連プーリに巻回され、該二連プーリのうちの一方のプーリに巻回されたワイヤのワイヤ部分は前記一連プーリに巻回され、そのワイヤ部分の先端部は前記傾斜面の上方から前記係合手段に連結し、また前記二連プーリのうちの他方のプーリに巻回されたワイヤのワイヤ部分の先端部は前記傾斜面の下方から前記係合手段に連結していることを特徴とする屋根の雪下ろし機。  
【発明の詳細な説明】
【技術分野】
【０００１】
この発明は、屋根の雪掻きボード及びこれを有する雪下ろし機に関する。
【背景技術】
【０００２】
従来、豪雪地帯での屋根の雪下ろしは、人が直接屋根に上ってスコップなどで掻き下ろすしか方法がなかった。そのため、屋根の雪下ろしには、労働的負担が生じ、また高齢者などが屋根から転落する事故が生じているという問題があった。
【０００３】
そこで、本願出願人は、先に特願２００５−１２１５８９号を出願している。  
この先行出願の明細書や図面に開示された雪下ろし機は、屋根の傾斜面に配設されたボードと、該ボードに連結された複数本のワイヤとを具え、該複数本のワイヤを前記傾斜面に沿って移動させることにより、前記ボードを尾根と軒先との間で移動させ、また前記ボードを前記傾斜面に対し平行な姿勢と前記傾斜面に対し垂直な姿勢とに姿勢を変更させ、これにより屋根の傾斜面上に積もった雪を下ろす。
【０００４】
このような雪下ろし機によると、雪掻きボードによる雪下ろし動作を電動で行わせることができるので、人が直接屋根に上ることなく雪下ろしを行うことができ、これにより豪雪地帯などでの屋根の雪下ろしにあたって、労働的負担を無くすことができるとともに、高齢者などが屋根から転落する事故も防ぐことができる。  
【発明の開示】
【発明が解決しようとする課題】
【０００５】
従来の雪下ろし機の雪掻きボードは、特願２００５−１２１５８９号の明細書や図面に開示された雪掻きボードのように、ボードに複数本のワイヤを連結させる構造のため、雪掻きボードの構造が複雑になるという問題がある。  
また、この従来の雪掻きボードを具えた従来の雪下ろし機も、ボードに連結した複数のワイヤを動作させる必要があるからスプリング付きワイヤーガイドプーリや、移動用レールを設けることとなり、そのため雪下ろし機全体の構造も複雑になるという問題がある。
【０００６】
上述した事情に鑑み、本願第一の発明は、構造が簡単な屋根の雪掻きボードを提供することを目的としている。また本願第二の発明は、労働的負担や高齢者などが屋根からの転落する事故を無くするとともに、構造が簡単な屋根の雪下ろし機を提供することを目的としている。
【課題を解決するための手段】
【０００７】
上記課題を解決するため、本願第一の発明は、屋根の傾斜面に配設されるボードと、該ボードに連結されたワイヤとを具え、該ワイヤを前記傾斜面に沿って移動させることにより、前記ボードを尾根と軒先との間で移動させ、また前記ボードを前記傾斜面に対し平行な姿勢と前記傾斜面に対し垂直な姿勢とに姿勢を変更させ、これにより前記傾斜面上に積もった雪を下ろす雪掻きボードにおいて、前記ワイヤは一本のワイヤからなり、前記雪掻きボードは、前記傾斜面に沿って移動して前記ボードを前記傾斜面に沿って移動させるボード移動手段と、該ボード移動手段とともに前記傾斜面に沿って移動し、前記ボードのうち前記傾斜面に対し平行な方向の略中央部分を中心に前記ボードを回動自在に支承する支承手段と、前記ボードのうち前記傾斜面に対し平行な方向の一端部に配設され、かつ前記ワイヤを前記ボードに係合させる係合手段であって、前記ワイヤを前記傾斜面に沿って移動させた場合に、前記ボードを前記支承手段を中心に回動させる係合手段と、前記ボード移動手段とともに前記傾斜面に沿って移動し、前記回転するボードに当接して該ボードの回動を規制する回動規制手段であって、該規制により前記ボードは前記傾斜面に対し前記垂直な姿勢に維持されるようにした回動規制手段とを具えていることを特徴としている。
【０００８】
また、本願第二の発明は、前記本願第一の発明の雪掻きボードを具えた雪下ろし機であって、前記屋根の傾斜方向に沿って配設され、前記ボード移動手段を前記尾根から前記軒先に案内するレールと、前記レールに連接され、前記軒先から軒下に延設される曲がりレールであって、二連プーリを配設した曲がりレールと、前記屋根の軒下に配設され、前記ワイヤを前記傾斜面に沿って移動させるワイヤ移動装置であって駆動プーリと該駆動プーリをギヤを介し駆動するモータとを具えてなるワイヤ移動装置と、前記係合手段に対し、前記二連プーリと反対側に位置する屋根に配置される一連プーリとをさらに具え、前記ワイヤは、前記駆動プーリに巻回されるとともに前記二連プーリに巻回され、該二連プーリのうちの一方のプーリに巻回されたワイヤのワイヤ部分は前記一連プーリに巻回され、そのワイヤ部分の先端部は前記傾斜面の上方から前記係合手段に連結し、また前記二連プーリのうちの他方のプーリに巻回されたワイヤのワイヤ部分の先端部は前記傾斜面の下方から前記係合手段に連結していることを特徴としている。
【発明の効果】
【０００９】
本願第一の発明の雪掻きボードは、一本のワイヤを具え、該雪掻きボードは、傾斜面に沿って移動してボードを前記傾斜面に沿って移動させるボード移動手段と、該ボード移動手段とともに前記傾斜面に沿って移動し、前記ボードのうち前記傾斜面に対し平行な方向の略中央部分を中心に前記ボードを回動自在に支承する支承手段と、前記ボードのうち前記傾斜面に対し平行な方向の一端部に配設され、かつ前記ワイヤを前記ボードに係合させる係合手段であって、前記ワイヤを前記傾斜面に沿って移動させた場合に前記ボードを前記支承手段を中心に回動させる係合手段と、前記ボード移動手段とともに前記傾斜面に沿って移動し、前記回転するボードに当接して該ボードの回動を規制する回動規制手段であって、該規制により前記ボードは前記傾斜面に対し前記垂直な姿勢に維持されるようにした回動規制手段とを具えてなることとしたから、動作させるワイヤの本数が従来に比し少ない分、屋根の雪掻きボードの構造を簡単にすることができる。
【００１０】
また、本願第二の発明の雪下ろし機は、前記本願第一の発明の雪掻きボードを具えており、前記屋根の傾斜方向に沿って配設され、前記ボード移動手段を前記尾根から前記軒先に案内するレールと、前記レールに連接され、前記軒先から軒下に延設される曲がりレールであって、二連プーリを配設した曲がりレールと、前記屋根の一方の軒下に配設され、前記ワイヤを前記傾斜面に沿って移動させるワイヤ移動装置であって、駆動プーリと、該駆動プーリをギヤを介し駆動するモータとを具えてなるワイヤ移動装置と、前記係合手段に対し、前記二連プーリと反対側に位置する屋根に配置される一連プーリとをさらに具え、前記ワイヤは、前記駆動プーリに巻回されるとともに前記二連プーリに巻回され、該二連プーリのうちの一方のプーリに巻回されたワイヤのワイヤ部分は前記一連プーリに巻回され、そのワイヤ部分の先端部は前記傾斜面の上方から前記係合手段に連結し、また前記二連プーリのうちの他方のプーリに巻回されたワイヤのワイヤ部分の先端部は前記傾斜面の下方から前記係合手段に連結しているから、これにより雪掻きボードによる雪下ろし動作が電動で行われることとなって、人が直接屋根に上ることなく雪下ろしを行うことができ、そのため、豪雪地帯などでの屋根の雪下ろしにあたって、労働的負担を無くすことができるとともに、高齢者などが屋根から転落する事故も防ぐことができ、しかも、構造が簡単な雪掻きボードを具えているので、雪下ろし機全体の構造を簡単にすることができる。
【発明を実施するための最良の形態】
【００１１】
屋根の傾斜面上に積もった雪を下ろす雪掻きボード及びその雪掻きボードを有する屋根の雪下ろし機（以下、単に「雪下ろし機」という。）について、以下の実施例１、実施例２及び実施例３によって説明する。
【実施例１】
【００１２】
図１は、本願第一の発明の実施例の雪掻きボードの構造を示す図である。特に図１（ａ）はボードが屋根の傾斜面に対し水平姿勢にされた雪掻きボードの概念側面図である。また図１（ｂ）はボードが屋根の傾斜面に対し垂直姿勢にされた雪掻きボードの概念側面図である。また図１（ｃ）はボードが屋根の傾斜面に対し水平姿勢にされた雪掻きボードの概念平面図である。  
また図２は、図１の雪掻きボードを具えた本願第二の発明の実施例１の雪下ろし機の概念側面図であって、該雪下ろし機が屋根の傾斜面に配設され、かつ雪掻きボードのボードが屋根の傾斜面に対し水平姿勢にされた様子を示す図である。
【００１３】
図１及び図２で示すように、本願第一の発明の実施例の雪掻きボードは、屋根の傾斜面に配設されるボード１と、該ボード１に連結されたワイヤ８（図２）を具えており、ワイヤ８を前記傾斜面に沿って移動させることにより、該傾斜面に配設されたボード１を尾根と軒先との間で移動させ、またボード１を傾斜面に対し平行な姿勢と傾斜面に対し垂直な姿勢とに姿勢を変更させ、これにより屋根の傾斜面上に積もった雪を下ろすものである。
【００１４】
この雪掻きボードのワイヤ８は、図２及び後述する図３で示すように一本のワイヤからなる。  
またこの雪掻きボードは、傾斜面に沿って移動してボード１を該傾斜面に沿って移動させるボード移動手段と、ボード移動手段とともに傾斜面に沿って移動し、ボード１のうち傾斜面に対し平行な方向の略中央部分を中心にボード１を回動自在に支承する支承手段と、ボード１のうち傾斜面に対し平行な方向の一端部に配設され、かつワイヤ８をボード１に係合させる係合手段であってワイヤ８を傾斜面に沿って移動させた場合にボード１を上記支承手段を中心に回動させる係合手段と、ボード移動手段とともに傾斜面に沿って移動し、上記回転するボード１に当接して該ボード１の回動を規制する回動規制手段であって該規制によりボード１は傾斜面に対し垂直姿勢に維持されるようにした回動規制手段とを具えている。
【００１５】
このうち、支承手段は、ボード１のうち傾斜面に対し平行な方向の略中央部分（以下、単に「略中央部分」という。）に配設された軸３と、該軸３を介しボード１を回動自在に支承するベアリング形式の軸受けとを具えている。  
また、ボード移動手段は、ボード１を案内するローラ２と、上記ベアリング形式の軸受けを支承するとともにローラ２を回動自在に支承する支承部とを具えている。  
また、回動規制手段は、支承部に固定されたストッパー５からなる。この回動規制手段のストッパー５は、傾斜面に対し垂直方向に向けて配設されている。  
また、係合手段は、ボード１の傾斜面に対し平行な方向の一端部に取り付けられ、かつワイヤ８の両端部を取り付けるワイヤ取り付けリング４を具えてなる。
【００１６】
このような構造の雪掻きボードでは、図１（ａ）及び図２のように、ボード１が屋根の傾斜面に対し水平姿勢にされた場合において、ワイヤ８（図２）を屋根の傾斜面に沿って一方向に移動させる。  
すると、図１（ｂ）で示すように、ボード１が、係合手段を介して該ボード１の略中央部分の軸３を中心に回動し、これによりボード１の他端部が回動規制手段のストッパー５に当接する。この当接により該ボードの回動は規制され、これによりボード１は前記傾斜面に対し前記垂直な姿勢にされる。  
また、ボード１が垂直姿勢にされた場合にワイヤ８をさらに上記一方向に移動させたとしても、ボード１はストッパー５に当接し該ボード１の垂直姿勢は維持される。  
なお、垂直姿勢にされたボード１は、ローラ２によりワイヤ８の上記一方向の移動とともに移動することができる。
【００１７】
一方、ボード１が垂直姿勢にされた場合に、ワイヤ８を他方向に移動させた場合には、ボード１は、上記傾斜面に対し平行な方向の略中央部分の軸３を中心に回動してボード１の上記他端部がストッパー５から離間し、上記傾斜面に対し水平姿勢（図１（ａ））に復帰する。  
なお、水平姿勢にされたボード１は、ローラ２により、さらなるワイヤ８の上記他方向の移動とともに移動することができる。
【００１８】
また、図１（ａ）のように、ボード１が屋根の傾斜面に対し水平姿勢にされた場合において、ワイヤ８（図２）を屋根の傾斜面に沿って他方向に移動させると、ボード１はその水平姿勢を変更することなく維持する。  
なお、水平姿勢を維持されたボード１は、ローラ２によりワイヤ８の上記他方向の移動とともに移動することができる。
【００１９】
次に、上述した雪掻きボードを具えた本願第二の発明の雪下ろし機について説明するとともに、本願第一の発明の雪掻きボードの詳細な構造及び動作について説明する。
【００２０】
図３は、図１の雪掻きボードを具えた本願第二の発明の実施例１の雪下ろし機の様子を示す概念側面図であって、該雪下ろし機が屋根の傾斜面に配設され、かつ雪掻きボードのボードが屋根の傾斜面に対し垂直姿勢にされた様子を示す図である。また図４は、図１の雪掻きボードを具えた本願第二の発明の実施例１の雪下ろし機の様子を示す概念正面図であって、該雪下ろし機が屋根の傾斜面に配設され、かつ雪掻きボードのボードが屋根の傾斜面に対し水平姿勢にされた様子を示す図である。
【００２１】
本願第二の発明の雪下ろし機は、上述した第一の発明の雪掻きボードを具えている。  
また、この雪下ろし機は、屋根の傾斜方向に沿って配設されたレール９（図４）と、該レール９に連接され、軒先から軒下に延設される二連プーリ７を具えた曲がりレール６と、屋根の軒下に配設されるワイヤ移動装置と、係合手段に対し二連プーリ７と反対側に位置する屋根に配置される一連プーリ２１（図２及び図３）とをさらに具えている。
【００２２】
このうち、レール９は、ボード移動手段を尾根から一方の軒先に案内するレールである。また図４で示すように、このレール９は、各雪掻きボードのボード１に対応して配設されている。該レール９内には雪掻きボードのローラ２が配置されている。
【００２３】
また、曲がりレール６は、上述したように、二連プーリ７を配設している。図５は該二連プーリを具えた曲がりレールの構造を示す図である。特に図５（ａ）は円弧形状の曲がりレールの概念側面図であり、図５（ｂ）は該曲がりレールの概念正面図である。また図５（ｃ）は、二連のプーリを取り付けた曲がりレールとして角型の曲がりレールを表した概念側面図である。  
なお、上記レール９は屋根の傾斜面に固定されている。また、曲がりレール６は、図２で示すように雨樋に取り付け金具（符号を図示しない）を介して支承されている。
【００２４】
また図２乃至図４で示すように、ワイヤ移動装置は、軒下に配設されている。このワイヤ移動装置は、ワイヤ８を傾斜面に沿って移動させる装置である。また、このワイヤ移動装置は、駆動プーリ１２と、該駆動プーリ１２をギヤ１５（図４）を介し駆動するモータ１４とを具えている。駆動プーリ１２は、レール９や曲がりレール６に対応して設けられている。
【００２５】
また、雪掻きボードのボード１には、一本のワイヤ８が連結されている。このワイヤ８は、駆動プーリ１２に対応して設けられている。また、このワイヤ８は駆動プーリ１２に巻回されるとともに曲がりレール６の二連プーリ７に巻回されている。
【００２６】
また二連プーリ７のうちの一方のプーリに巻回されたワイヤ８のワイヤ部分（以下「一端側のワイヤ部分」という。）は尾根の一連プーリ２１に巻回され、そのワイヤ部分の先端部（以下「一端部」という。）は、傾斜面の上方から雪掻きボードのワイヤ取り付けリング４に連結している。  
また二連プーリ７のうちの他方のプーリに案内されたワイヤ８のワイヤ部分（「他方側のワイヤ部分」という。）の先端部（以下「他端部」という。）は、傾斜面の下方からワイヤ取り付けリング４に連結している。  
なお、このワイヤ８はその両端部、すなわち上記一端部と上記他端部がワイヤ取り付けリング４を介して連結することにより無端のワイヤ８を形成している。
【００２７】
まず、この雪下ろし機の初期状態では、ボード１がボード移動手段のローラ２によりレール９の下端に配置されており、これにより雪掻きボード全体が軒先に配置されている。また、初期状態において、雪掻きボードのボード１は屋根の傾斜面に対し水平姿勢にされている。
【００２８】
このような初期状態において、屋根の斜面上には、１５ｃｍぐらいの雪が積もっていると仮定する。  
この初期状態において、ワイヤ移動装置のモータ１４を正転駆動して、ギヤ１５を介して駆動プーリ１２を他方向に回転させ、これによりワイヤ８の一端部及び他端部を、傾斜面に沿って尾根へ向けた方向に移動させる。すると、図２で示すように、ローラ２がレール９に沿って移動することにより、雪掻きボードのボード１は、傾斜面に沿って一連プーリ２１がある尾根に向けて移動する。またこの移動の際、ボード１は傾斜面に対し水平な姿勢（水平姿勢）に維持される。
【００２９】
次に、ローラ２がレール９の上端に達し、これによりボード１が尾根に達した場合には、モータ１４を逆転駆動させる。  
すると、駆動プーリ１２がギヤ１５を介して一方向に回転し、これによりワイヤ８の一端部及び他端部が、傾斜面に沿って軒先方向に移動する。そのため、図１（ｂ）で示すように、ボード１が、上記係合手段を介して該ボード１の略中央部分の軸３を中心に回動し、これによりボード１の他端部が回動規制手段のストッパー５に当接する。この当接により該ボードの回動は規制され、これによりボード１は前記傾斜面に対し前記垂直な姿勢にされる。
【００３０】
また、さらにモータ１４の駆動の逆転駆動を継続すると、図３で示すように、ワイヤ８の両端部、すなわち上記一端部と上記他端部は傾斜面に沿って軒先方向に移動し、これにより雪掻きボードのローラ２もレール９に沿って移動するので、該雪掻きボードのボード１は、傾斜面に沿って軒先に向けて移動する。またこの移動の際、ボード１の他端部はストッパー５に当接し続けるので、ボード１は斜面に対し垂直姿勢に維持される。  
またボード１はローラ２がレール９の下端に達するまで移動し、またローラ２がレール９の下端に達した場合には、ボード１は軒先に達する。また、ボード１の垂直姿勢は、ローラ２がレール９の下端に達するまで維持される。  
したがって、ボード１が尾根に達してから軒先に達するまでの間、ボード１は上記垂直姿勢を維持されることとなり、これにより、尾根から軒下までの傾斜面上の雪を、ボード１の幅において、すべて掻き下ろすことができる。
【００３１】
また、雪を掻き下ろし終わった後は、ワイヤ移動装置のモータ１４の逆転駆動を停止し、次にモータ１４を正転駆動させる。  
すると、駆動プーリ１２は他方向に回転するので、ワイヤ８の両端部は傾斜面に沿って尾根方向に移動し、これによりボード１は、傾斜面に対し平行な方向の略中央部分の軸３を中心に回動し、ボード１の前記他端部がストッパー５から離間して、傾斜面に対し水平姿勢になる。そしてこれにより、初期状態に復帰する。
【００３２】
また、この雪下ろし機では、モータ１４は、リミットスイッチを用いて制御し、これにより上述のように正回転と逆回転とを繰り返すようにして屋根に積もった雪を掻き下ろす。
【００３３】
以上で説明したように、本願第一の発明は、屋根の傾斜面に配設されるボード１と、該ボード１に連結されたワイヤ８とを具え、該ワイヤ８を傾斜面に沿って移動させることにより、ボード１を尾根と軒先との間で移動させ、またボード１を傾斜面に対し平行な姿勢と傾斜面に対し垂直な姿勢とに姿勢を変更させ、これにより傾斜面上に積もった雪を下ろす雪掻きボードにおいて、ワイヤ８は一本のワイヤからなり、雪掻きボードは、傾斜面に沿って移動してボード１を傾斜面に沿って移動させるボード移動手段と、該ボード移動手段とともに傾斜面に沿って移動し、ボード１のうち傾斜面に対し平行な方向の略中央部分を中心にボード１を回動自在に支承する支承手段と、ボード１のうち傾斜面に対し平行な方向の一端部に配設され、かつワイヤ８をボード１に係合させる係合手段であって、ワイヤ８を傾斜面に沿って移動させた場合に、ボード１を支承手段を中心に回動させる係合手段と、ボード移動手段とともに傾斜面に沿って移動し、前記回転するボード１に当接して該ボード１の回動を規制する回動規制手段であって、該規制によりボード１は傾斜面に対し垂直な姿勢に維持されるようにした回動規制手段とを具えてなるから、従来のように複数本のワイヤを用いていた雪掻きボードに比し、屋根の雪掻きボードの構造を簡単にすることができる。なお、このことは、後述する実施例２及び３の各雪下ろし機における雪掻きボードについても同様である。
【００３４】
また、本願第二の発明の雪下ろし機は、上記した本願第一の発明の雪掻きボードを具え、屋根の傾斜方向に沿って配設され、ボード移動手段を尾根から軒先に案内するレール９と、該レール９に連接され、軒先から軒下に延設される曲がりレール６であって二連プーリ７を配設した曲がりレール６と、屋根の軒下に配設され、ワイヤ８を傾斜面に沿って移動させるワイヤ移動装置であって、駆動プーリ１２と該駆動プーリ１２をギヤ１５を介し駆動するモータ１４とを具えてなるワイヤ移動装置と、上記係合手段に対し二連プーリ７と反対側に位置する屋根に配置される一連プーリ２１とをさらに具え、ワイヤ８は、駆動プーリ１２に巻回されるとともに二連プーリ７に巻回され、該二連プーリ７のうちの一方のプーリに巻回されたワイヤのワイヤ部分は一連プーリ２１に巻回され、そのワイヤ部分の先端部は傾斜面の上方から前記係合手段に連結し、また二連プーリ７のうちの他方のプーリに巻回されたワイヤのワイヤ部分の先端部は傾斜面の下方から前記係合手段に連結しているから、これにより雪掻きボードによる雪下ろし動作が電動で行われることとなって、人が直接屋根に上ることなく雪下ろしを行うことができ、そのため、豪雪地帯などでの屋根の雪下ろしにあたって、労働的負担を無くすことができるとともに、高齢者などが屋根から転落する事故も防ぐことができ、しかも、ワイヤが一本からなるという構造が簡単な雪掻きボードを具えており、従来のようにスプリング付きワイヤーガイドプーリや、移動用レールを設ける必要がない分、雪下ろし機の構造が簡単になる。なお、このことは、後述する実施例２及び３の各雪下ろし機についても同様である。
【００３５】
なお、この雪掻きボードでは、ボード１につき、少なくとも一側方において、上述したように一本のワイヤ８を配設し、該ワイヤ８を傾斜面に沿って移動させるようにしたものであれば足りるが、例えば、図１（ｃ）で示すように、ボード１の両側方に、それぞれ、上記した構造のボード移動手段、支承手段、係合手段及び回転規制手段およびワイヤ８を配設したものであってもよいことはもちろんであり、このようにすると、雪掻きボードによる雪下ろし動作が一層円滑になる。さらに、雪下ろし機の駆動プーリ１２を、ボード１の両側方に配設するとともに、該両側方の駆動プーリ１２を共通の一つのモータ（図４）で駆動するようにすれば、雪下ろし機の部品点数を削減できる。
【００３６】
また、この雪下ろし機の雪掻きボードを、図４で示すように、傾斜面上に等間隔に配設し、該各雪掻きボードに対応して、レール９、これに対応する一連プーリ２１、ワイヤ８、二連プーリ６を具えた曲がりレール７及び駆動プーリ１２を配設するようにしてもよく、このようにすると、尾根から軒下までの傾斜面上の雪を、ボード１の各幅において、すべて掻き下ろすことができる。さらに、斜面上の複数の駆動プーリ１２を共通の一つのモータ（図４）で駆動するようにすると、雪下ろし機の部品点数を削減できるとともに、傾斜面上の雪を一括して雪下ろしすることができる。
【００３７】
また、この実施例１の雪下ろし機では、軒下にワイヤ移動装置を設けているから、屋根上の積雪によってワイヤ移動装置のモータ１４が漏電することを可及的に防止することができ、またワイヤ移動装置の保守点検作業を簡単にすることができる。なお、このことは、後述する実施例２及び３の各雪下ろし機についても同様である。
【００３８】
また、上記した実施例１の雪下ろし機では、二連プーリ７を取り付けた曲がりレール６は、円弧形状のレールとして説明したが、曲がりレールの形状はこれに限らず、曲がりレール６は屋根の軒先の形状に合わせた形状にすればよく、例えば曲がりレール６は、図２（ｃ）で示すように角形のレールからなるものでもよいことはもちろんである。なお、このことは、後述する実施例２及び３の各雪下ろし機においても同様である。
【００３９】
なお、上記実施例１では、傾斜面を少なくとも一つ有する屋根に配設される雪下ろし機の実施例について説明したが、実施例２のように、本願第二の発明の雪下ろし機は、両方向傾斜の屋根に配設されるものであってもよい。
【実施例２】
【００４０】
図６は、二つの傾斜面を具えた屋根に取り付けられた本願第二の発明の実施例２の雪下ろし機の様子を示す概念側面図であって、該雪下ろし機が二つの傾斜面にまたがって配設され、かつ一方の雪掻きボードが一方の傾斜面に対し垂直姿勢にされた様子を示す図である。
【００４１】
また図７及び図８は、いずれも、二つの傾斜面を具えた屋根に取り付けられた本願第二の発明の実施例２の雪下ろし機の様子を示す概念正面図である。特に図７は、一方の傾斜面上の雪掻きボードが尾根に達し、かつ垂直姿勢にされている様子を示す図である。また特に図８は、該一方の傾斜面上の雪掻きボードが一方の軒先に達し、かつ水平姿勢にされている様子を示す図である。  
なお図６乃至図８では、図１乃至図５と同一部分を同一符号で示している。
【００４２】
図６で示すように、本願第二の発明の実施例２の雪下ろし機は、両方向傾斜の屋根の傾斜面に配設されている。また、この屋根の各傾斜面の長さは互いに等しくされている。  
また、この雪下ろし機は、第一実施例で説明した雪掻きボードを各傾斜面にそれぞれ一つずつ具えている。
【００４３】
また、初期状態においては、図６及び図７で示すように、一方の雪掻きボードのローラ２は一方の傾斜面上のレール９の上端に達しており、これにより該一方の雪掻きボードは尾根に達している。また初期状態において、該一方の雪掻きボードのボード１は、その他端部がストッパー５に当接し、これにより一方の傾斜面に対し垂直姿勢にされている。  
また、初期状態において、図６で示すように、他方の雪掻きボードのローラ２は他方の傾斜面上のレール９の下端に達しており、これにより該他方の雪掻きボードは他方の傾斜面の軒先に達している。また初期状態において、該他方の雪掻きボードのボード１は、その他端部がストッパー５から離間し、これにより他方の傾斜面に対し水平姿勢にされている。
【００４４】
なお、この雪下ろし機には、各雪掻きボードのボード移動手段を尾根から各傾斜面の軒先に案内するレール９がそれぞれ配設されている。このレール９は各傾斜面の傾斜方向に沿ってそれぞれ配設されている。また各レール９内には、各雪掻きボード１のローラ２がそれぞれ配置されている。  
また、各レール９は屋根の各傾斜面に固定されている。また、曲がりレール６は、上述したように二連プーリ７を配設している。
【００４５】
また、曲がりレール６は、前記一方の傾斜面にのみ配設されている。なお、曲がりレール６の構造は実施例１の雪下ろし機の曲がりレールと同じである。また、ワイヤ移動装置も、前記一方の傾斜面にのみ配設されている。なお、このワイヤ移動装置の構造も実施例１の雪下ろし機のワイヤ移動装置と同じである。
【００４６】
図６で示すように、この雪下ろし機の尾根には、二連プーリ１０が配設されている。また、他方の傾斜面の軒先には、一連プーリ１１が配設されている。なお、この一連プーリ１１は、一方の雪掻きボードの係合手段（ワイヤ取り付けリング４）に対し、曲がりレール６の二連プーリ７と反対側に配設されている。
【００４７】
またこの雪下ろし機では二本のワイヤ８を用い、該二本のワイヤ８をつなげて一本の無端のワイヤ８を形成している。  
このうちの一方のワイヤ８は、駆動プーリ１２と、曲がりレール６の二連のプーリ７に巻回されている。
【００４８】
また、該一方のワイヤ８のうち、二連プーリ７のうちの一方のプーリに巻回されたワイヤ部分（一端側のワイヤ部分）は尾根の二連プーリ１０のうちの一方のプーリに巻回され、かつ他方の傾斜面の軒先の一連プーリ１１に巻回され、さらにそのワイヤ部分の先端部（一端部）は、他方の雪掻きボードのワイヤ取り付けリング４に他方の傾斜面の下方から連結している。  
また、上記一方のワイヤ８のうち、曲がりレール６の二連プーリ７のうちの他方のプーリに巻回されたワイヤ部分（他端側のワイヤ部分）の先端部（他端部）は、一方の雪掻きボードのワイヤ取り付けリング４に一方の傾斜面の下方から連結している。  
また、他方のワイヤ８は、その一端部が上記一方の雪掻きボードのワイヤ取り付けリング４に一方の傾斜面の上方から連結するとともに、他端部は上記他方の雪掻きボード１のワイヤ取り付けリング４に他方の傾斜面の上方から連結している。また、該他方のワイヤ８の上記一端部と上記他端部との間のワイヤ部分は、尾根の二連プーリ１０のうちの他方のプーリに巻回されている。
【００４９】
このような初期状態において、屋根の斜面上には、１５ｃｍぐらいの雪が積もっていると仮定する。  
図６及び図７で示す初期状態において、まず、ワイヤ移動装置のモータ１４を逆転駆動して、一方の軒下に配設された駆動プーリ１２を、ギヤ１５を介して一方向に回転させ、これにより上記一方のワイヤ８の他端部及び他方のワイヤ８の一端部を、一方の傾斜面に沿って、モータ１４が配設されている側の軒先（一方の傾斜面の軒先）に向けた方向に移動させるとともに、上記一方のワイヤ８の一端部及び上記他方のワイヤ８の他端部を、他方の傾斜面に沿って尾根方向に移動させる。  
すると、一方の雪掻きボード１は、ローラ２がレール９の下端に達するまで一方の斜面に沿って移動し、ローラ２がレール９の下端に達したとき、一方の軒下に達する。また、この移動の際、一方の雪掻きボードは、ボード１の他端がストッパー５に当接した状態を維持し、これによりボード１は一方の傾斜面に対し垂直姿勢を維持する。  
このように、一方の雪掻きボードのボード１が一方の傾斜面に対し垂直姿勢を維持したまま、尾根から一方の軒下まで移動すると、一方の傾斜面上に、尾根から一方の軒下まで積もっている雪を、ボード１の幅において、すべて掻き下ろすことができる。
【００５０】
また、他方の雪掻きボードは、ローラ２がレール９の上端に達するまで他の傾斜面に沿って移動し、これにローラ２がレールの上端に達したとき、尾根に達する。また、この移動の際、他方の雪掻きボードのボード１は、他方の傾斜面に対し水平姿勢を維持する。
【００５１】
また、一方の雪掻きボードが一方の軒下に達し、かつ他方の雪掻きボードが尾根に達した場合には、駆動装置のモータ１４の駆動を正転駆動させ、これにより、ギヤ１５を介して駆動プーリ１２を他方向に回転させる。  
すると、上記一方のワイヤ８の他端部と他方のワイヤ８の一端部が、一方の斜面に沿って尾根方向に移動するとともに、上記一方のワイヤ８の一端部と他方のワイヤ８の他端部が他方の傾斜面の軒先方向に移動する。
【００５２】
そのため、図１（ｂ）及び図７で示すように垂直姿勢であった一方の雪掻きボードは、図１（ａ）及び図８で示すように、ボード１が一方の傾斜面に対し平行な方向の略中央部分の軸３を中心に回動してボード１の前記他端部がストッパー５から離間し、これにより一方の傾斜面に対し水平姿勢になる。  
また、水平姿勢であった他方の雪掻きボードは、ボード１が他方の傾斜面に対し平行な方向の略中央部分の軸３を中心に回動してボード１の前記他端部がストッパー５に当接し、これにより他方の傾斜面に対し垂直姿勢（図１（ｂ）参照）になる。
【００５３】
また、さらにモータ１４の駆動の正転駆動を継続すると、上記一方のワイヤ８及び他方のワイヤ８の各移動により、一方の雪掻きボードのローラ２はレール９に沿って該レール９の上端である尾根まで移動するとともに、他方の雪掻きボードのローラ２はレール９に沿って該レール９の下端である他方の傾斜面の軒先まで移動する。またこの移動の際、上記一方の雪掻きボードは一方の傾斜面に対し水平姿勢を維持し、また上記他方の雪掻きボードは、そのボード１の他端部がストッパー５に当接した姿勢を維持し、これによりボード１が傾斜面に対し垂直な姿勢（垂直姿勢）を維持する。  
また一方の雪掻きボードのローラ２がレール９の上端に達した場合には、該一方の雪掻きボードは尾根に達する。また、他方の雪掻きボードのローラがレールの下端に達した場合には、該他方の雪掻きボードは他方の傾斜面の軒先に達する。なお、一方の雪掻きボードが尾根に達すると同時に、他方の雪掻きボードは他方の傾斜面の軒先に達する。
【００５４】
またこのように他方の雪掻きボードのボード１が他方の傾斜面に対し垂直姿勢を維持したまま、尾根から他方の軒下まで移動すると、他方の傾斜面上に、尾根から他方の軒下まで積もっている雪を、ボード１の幅において、すべて掻き下ろすことができる。
【００５５】
次に、モータ１４を逆転駆動して一方の軒下に配設された駆動プーリ１２を、ギヤ１５を介して一方向に回転させ、これにより、上記一方のワイヤ８の他端部及び他方のワイヤ８の一端部を、上記一方の傾斜面の軒先に向けた方向に移動させるとともに、上記一方のワイヤ８の一端部及び他方のワイヤ８の他端部を、他方の傾斜面に沿って尾根方向に移動させる。  
すると、図１（ａ）で示すように水平姿勢にされていた一方の雪掻きボードは、図１（ｂ）及び図７で示すように、該ボード１の略中央部分の軸３を中心に回動しボード１の他端部がストッパー５に当接するので、該ボード１の回動は規制されて一方の傾斜面に対し垂直姿勢にされる。また、他方の雪掻きボードは、該ボード１の略中央部分の軸３を中心に回動してボード１の他端部はストッパー５から離間し、これにより他方の傾斜面に対し水平姿勢にされる。  
そこでモータ１４の逆転駆動を停止すると、図６の初期状態に復帰させることができる。
【００５６】
なお、この実施例２の雪下ろし機のモータ１４は、リミットスイッチを用いて制御し、これにより上述のように正回転と逆回転とを繰り返すようにして屋根に積もった雪を掻き下ろす。なお、この点は、後述する実施例３についても同様である。
【００５７】
なお、この実施例２の雪掻きボードでは、ボード１につき、少なくとも一側方において、上述したように一本のワイヤ８を配設し、該ワイヤ８を傾斜面に沿って移動させるようにしたものであれば足りるが、例えば、図１（ｃ）で示すように、ボード１の両側方に、それぞれ、上記した構造のボード移動手段、支承手段、係合手段及び回転規制手段およびワイヤ８を配設したものであってもよいことはもちろんであり、このようにすると、雪掻きボードによる雪下ろし動作が一層円滑になる。さらに、雪下ろし機の駆動プーリ１２を、ボード１の両側方に配設するとともに、該両側方の駆動プーリ１２を共通の一つのモータ（図４）で駆動するようにすれば、雪下ろし機の部品点数を削減できる。
【００５８】
またこの実施例２の雪下ろし機では、図７及び図８で示すように、雪掻きボードを各傾斜面上に等間隔に配設し、該各雪掻きボードに対応して、レール９、これに対応する一連プーリ１１、二連プーリ１０、ワイヤ８、二連プーリ６を具えた曲がりレール７を、ボード１の各側方に配設してもよく、このようにすると、尾根から軒下までの傾斜面上の雪を、ボード１の各幅において、すべて掻き下ろすことができる。さらに、一方の傾斜面上の複数の雪掻きボードに対応して配設された複数の駆動プーリ１２を共通の一つのモータ１４（図７）で駆動するようにすると、雪下ろし機の部品点数を削減できるとともに、二つの傾斜面上の雪を一括して雪下ろしすることができる。なお、このことは後述する実施例３の雪下ろし機においても同様である。
【００５９】
またこの実施例２の雪下ろし機では、一方の傾斜面上に配設された駆動プーリ１２を用いて、二つの傾斜面に配設された二つの雪掻きボードを同期して動作させるようにしているから、実施例１の雪下ろし機を各傾斜面に配置する場合に比し、二つの傾斜面上に積もった雪を一括して下ろすことができる分、雪下ろし作業の効率が向上し、また部品点数を削減できる。なお、このことは後述する実施例３においても同様である。
【実施例３】
【００６０】
実施例３の雪下ろし機は、両方向傾斜の屋根であって、一方の屋根の長さと他方の屋根の長さが異なる屋根に雪下ろし機に配設されている。
【００６１】
図９は、長さの異なる二つの傾斜面を具えた屋根に取り付けられた本願第二の発明の実施例３の雪下ろし機の様子を示す概念側面図であって、該雪下ろし機が二つの傾斜面にまたがって配設され、かつ一方の雪掻きボードが一方の傾斜面に対し垂直姿勢にされた様子を示す図である。
【００６２】
また、図１０は、本願第二の発明の実施例３の雪下ろし機を構成する雪掻きボードの構造を示す図である。特に図１０（ａ）はボードが屋根の傾斜面に対し垂直姿勢にされた雪掻きボードの概念側面図である。また図１０（ｂ）は、ボードが屋根の傾斜面に対し水平姿勢にされた雪掻きボードの概念側面図である。  
なお図９及び図１０では、図１乃至図８と同一部分を同一符号で示している。
【００６３】
図９で示すように、実施例３の雪下ろし機には、他方の傾斜面より長い傾斜面である一方の傾斜面に、実施例１、２の各雪下ろし機において説明した雪掻きボード(図１）が配設されている。また、図９及び図１０（ｂ）で示すように、他方の傾斜面には、ベアリング付きパイプ１６を具えた雪掻きボードが配設されている。
【００６４】
また、これら二つの雪掻きボードは、後述するように一本の無端のワイヤ８を具えている。
【００６５】
また、ベアリング付きパイプ１６を具えた雪掻きボードには、実施例１及び２の雪掻きボードと同様のボード移動手段および支承手段が配設されている。  
また、ベアリング付きパイプ１６を具えた雪掻きボードには、実施例１及び２の雪掻きボードの係合手段（ワイヤ取り付けリング４）に替え、別の係合手段として、ワイヤ８を嵌挿するベアリング付きパイプ１６と、該ワイヤに固定される一対のストッパー１８とを具えている。このベアリング付きパイプ１６は、そのベアリングの軸が、ボード１の一端部に固定されている。また、ベアリング付きパイプ１６はボード１の軸３（図１参照）を中心に回動自在に支承されている。そのため、ワイヤ８を傾斜面に沿って移動させた場合に、ボード１はベアリング付きパイプ１６を介しボード１を支承手段の軸３を中心に回動する。  
また、一対のストッパー１８は、ベアリング付きパイプ１６に当接して該ベアリング付きパイプ１６の移動を阻止するものである。また、この一対のストッパー１８の間には、上記ベアリング付きパイプ１６が配設されている。  
また、ベアリング付きパイプ１６を具えた雪掻きボードには、実施例１及び２の雪掻きボード1と同様のストッパー５からなる回動規制手段が配設されている。
【００６６】
また、一本のワイヤ８は、駆動プーリ１２と、曲がりレール６の二連のプーリ７に巻回されている。
【００６７】
また、該二連プーリ７のうちの一方のプーリに巻回されたワイヤ部分（一端側のワイヤ部分）は、尾根の二連プーリ１０のうちの一方のプーリに巻回され、かつ他方の軒先の一連プーリ１１に巻回されて、さらに他方の雪掻きボード１のベアリング付きパイプ１６を嵌挿し、一連プーリ１７及び尾根の二連プーリ１０の他方のプーリに巻回され、該ワイヤ部分の先端部（一端部）は一方の雪掻きボードのワイヤ取り付けリング４に一方の傾斜面上方から連結している。  
またワイヤ８のうち、曲がりレール６の二連のプーリ７のうち他方のプーリに巻回されたワイヤ部分（他方側のワイヤ部分）の先端部（他端部）は、一方の雪掻きボード１のワイヤ取り付けリング４に一方の斜面の下方から連結している。  
なお、このワイヤ８は、上記一端部と上記他端部がワイヤ取り付けリング４を介して連結することにより無端のワイヤ８を形成している。
【００６８】
このような初期状態において、屋根の傾斜面上には、１５ｃｍぐらいの雪が積もっていると仮定する。  
図９で示すように、初期状態において、一方の雪掻きボードは、ローラ２を介してレール９の上端である尾根にあり、他方の雪掻きボードは、レール２を介してレールの下端である他方の傾斜面の軒先にある。また、初期状態においては、図９で示すように上記一方の雪掻きボードのボードは一方の傾斜面に対し垂直姿勢にされており、上記他方の雪掻きボードは図１（ｂ）及び図９で示すように他方の傾斜面に対し垂直姿勢にされている。
【００６９】
また、図９で示すように、ベアリング付きパイプ１６はワイヤ８の一方のストッパー１８に当接している。また、ワイヤ８の他方のストッパー１８は、ベアリング付きパイプ１６から離間している。
【００７０】
そこで、まずモータ１４を逆転駆動して、一方の軒下に配設された駆動プーリ１２を、ギヤ１５を介して一方向に回転させ、これにより上記ワイヤの一端部及び他端部を、モータ１４が配設されている側の軒先（一方の傾斜面の軒先）に向け一方の斜面に沿って移動させる。
【００７１】
すると、一方の雪掻きボード１は、ローラ２がレール９の下端に達するまで一方の傾斜面に沿って移動し、ローラ２がレール９の下端に達したとき、一方の傾斜面の軒下に達する。また、この移動の際、一方の雪掻きボードは、ボード１の他端部がストッパー５に当接した状態を維持し、これにより一方の傾斜面に対し垂直姿勢を維持する。  
このように、一方の雪掻きボードが一方の傾斜面に対し垂直姿勢を維持したまま、尾根から一方の軒下まで移動すると、一方の傾斜面上に、尾根から一方の軒下まで積もっている雪を、ボード１の幅において、すべて掻き下ろすことができる。
【００７２】
一方、ワイヤ８の一対のストッパー１８は、上記したワイヤ８の移動に従い移動する。しかし、該一対のストッパー１８は、モータ１４の逆転駆動直後はベアリング付きパイプ１６に当接せず、そのため他方の雪掻きボードのボード１は水平姿勢を維持したまま他方の軒先に停止している。また、モータ１４の上記逆転駆動により一方の雪掻きボードが、尾根から一方の斜面と他方の斜面の長さの差分だけ移動すると、他方のストッパー１８が他方の傾斜面の下方からベアリング付きパイプ１６に当接する。そのため、他方の雪掻きボードは水平姿勢を維持するとともに、他方の傾斜面に沿って尾根まで案内される。  
なお、他方の雪掻きボードのローラ２がレール９の上端に達した場合に、該他方の雪掻きボードは尾根に達するが、該他方の雪掻きボードが尾根に達したと同時に、一方の雪掻きボードは一方の軒先に達する。
【００７３】
次に、モータ１４の駆動を正転駆動し、これによりギヤを介して駆動プーリ１２を他方向に回転させて、ワイヤ８の一端部及び他端部を尾根方向に一方の斜面に沿って移動させる。
【００７４】
すると、一方の雪掻きボードのボード１は傾斜面に対し平行な方向の略中央部分の軸３を中心に回動してボード１の前記他端部がストッパー５から離間して、ボード１は一方の傾斜面に対し水平姿勢になる。  
そして、モータ１４の正転駆動を継続した場合には、該一方の雪掻きボードは、一方の傾斜面に沿って移動し、ローラ２がレール９の上端に達した場合に、該一方の雪掻きボードは尾根に達する。
【００７５】
一方、モータ１４の正転駆動により、ワイヤ８の一対のストッパー１８は該ワイヤ８の移動に従い移動する。しかし、一方のストッパー１８は、モータ１４の正転駆動直後はベアリング付きパイプ１６から離間している。そのため、他方の雪掻きボードのボード１は水平姿勢を維持したまま尾根に停止している。また、モータ１４の上記正転駆動により一方の雪掻きボードが、一方の傾斜面の軒先から、一方の斜面と他方の斜面の長さの差分だけ移動すると、一方のストッパー１８が他方の斜面の上方からベアリング付きパイプ１６に当接する。そのため、他方の雪掻きボードのボード１は、ベアリング付きパイプ１６を介し軸３を中心に回動してボード１の他端部がストッパー５に当接し、該当接後は、該ボード１は他方の傾斜面に対し垂直姿勢を維持するとともに他方の傾斜面に沿って尾根まで移動する。  
なお、他方の雪掻きボードのローラ２がレール９の下端に達した場合に、該他方の雪掻きボードは他方の傾斜面の軒先に達するが、該他方の雪掻きボードが該他方の傾斜面の軒下に達したと同時に、一方の雪掻きボードは尾根に達する。
【００７６】
また、他方の雪掻きボードのボード１は、該ボード１が尾根から他方の傾斜面の軒先に達するまで、該他方の傾斜面に対し垂直姿勢に維持される。  
このように、他方の雪掻きボードのボード１が他方の傾斜面に対し垂直姿勢を維持したまま、尾根から他方の傾斜面の軒下まで移動すると、該他方の傾斜面上に、尾根から該他方の傾斜面の軒下まで積もっている雪を、ボード１の幅において、すべて掻き下ろすことができる。
【００７７】
次に、モータ１４を逆転駆動して一方の軒下に配設された駆動プーリ１２を、ギヤを介して一方向に回転させ、これにより、上記ワイヤ８の一端部及び他端部を、上記一方の軒先に向けた方向に移動させる。
【００７８】
すると、図１（ａ）で示すように水平姿勢にされていた一方の雪掻きボードのボード１は、図１（ｂ）で示すように、その略中央部分の軸３を中心に回動しボード１の他端部がストッパー５に当接するので、該ボード１の回動は規制されて一方の傾斜面に対し垂直姿勢にされる。また、他方の雪掻きボードのボード１は軸３を中心に回動し、ボード１の他端部は前記ストッパー５から離間するので、これにより他方の雪掻きボードのボードは他方の傾斜面に対し水平姿勢にされる。なお、一方のストッパー１８は、ベアリング付きパイプに他方の傾斜面の上方から当接している。このとき、モータ１４を停止させると、図９で示すように初期状態に復帰させることができる。
【００７９】
このように実施例３の雪下ろし機では、一方の雪掻きボード１の係合手段は、ベアリング付きパイプ１６と、ワイヤ８に固定された一対のストッパー１８とを具え、該ストッパー１８間にベアリング付きパイプ１６を嵌挿させ、該ストッパー１８に当接させるようにしたから、互いに長さの異なる傾斜面からなる屋根に雪下ろし機を配設する場合であっても、各傾斜面の雪下ろし動作を同期させることができる。
【００８０】
なお、上述した実施例１乃至実施例３の各雪下ろし機では、各雪掻きボードのボード１が各傾斜面に対し水平姿勢にされた状態で各傾斜面に沿って移動した場合には、各雪掻きボードのボード１と各傾斜面に積もった雪との間に隙間が形成される。したがって各雪掻きボードのボード１を垂直姿勢にした場合に該ボード１を軒先まで移動すると、各傾斜面上に積もった雪は簡単に掻き下ろされることはいうまでもない。
【００８１】
なお、上記実施例１乃至実施例３では、モータ１４の駆動により行われるワイヤ８全体の移動を分かりやすく説明するため、各ワイヤ８の一端部と他端部の動きを特に明示して説明したが、モータ１４の駆動により移動するのは、ワイヤ８の一端部と他端部のみならず、ワイヤ８の全体であることはもちろんである。
【図面の簡単な説明】
【００８２】
【図１】図１は、本願第一の発明の実施例の雪掻きボードの構造を示す図である。
【図２】図２は、図１の雪掻きボードを具えた本願第二の発明の実施例１の雪下ろし機の概念側面図であって、該雪下ろし機が屋根の傾斜面に配設され、かつ雪掻きボードのボードが屋根の傾斜面に対し水平姿勢にされた様子を示す図である。
【図３】図３は、図１の雪掻きボードを具えた本願第二の発明の実施例１の雪下ろし機の様子を示す概念側面図であって、該雪下ろし機が屋根の傾斜面に配設され、かつ雪掻きボードのボードが屋根の傾斜面に対し垂直姿勢にされた様子を示す図である。
【図４】図４は、図１の雪掻きボードを具えた本願第二の発明の実施例１の雪下ろし機の様子を示す概念正面図であって、該雪下ろし機が屋根の傾斜面に配設され、かつ雪掻きボードのボードが屋根の傾斜面に対し水平姿勢にされた様子を示す図である。
【図５】図５は二連プーリを具えた曲がりレールの構造を示す図である。
【図６】図６は、二つの傾斜面を具えた屋根に取り付けられた本願第二の発明の実施例２の雪下ろし機の様子を示す概念側面図であって、該雪下ろし機が二つの傾斜面にまたがって配設され、かつ一方の雪掻きボードが一方の傾斜面に対し垂直姿勢にされた様子を示す図である。
【図７】図７は、二つの傾斜面を具えた屋根に取り付けられた本願第二の発明の実施例２の雪下ろし機の概念正面であって、特に一方の傾斜面上の雪掻きボードが尾根に達し、かつ垂直姿勢にされている様子を示す図である。
【図８】図８は、二つの傾斜面を具えた屋根に取り付けられた本願第二の発明の実施例２の雪下ろし機の概念正面図であり、特に、一方の傾斜面上の雪掻きボードが一方の軒先に達し、かつ水平姿勢にされている様子を示す図である。
【図９】図９は、長さの異なる二つの傾斜面を具えた屋根に取り付けられた本願第二の発明の実施例３の雪下ろし機の様子を示す概念側面図であって、該雪下ろし機が二つの傾斜面にまたがって配設され、かつ一方の雪掻きボードが一方の傾斜面に対し垂直姿勢にされた様子を示す図である。
【図１０】図１０は、本願第二の発明の実施例３の雪下ろし機を構成する雪掻きボードの構造を示す図である。
【符号の説明】
【００８３】
１…ボード
２…ローラ
３…軸
４…ワイヤー取り付けリング
５…ストッパー
６…曲がりレール
７…二連プーリ
８…ワイヤ
９…レール
１０…二連プーリ
１１…一連プーリ
１２…駆動プーリ
１３…ベアリング
１４…モータ
１５…ギヤ
１６…ベアリング付きパイプ
１７…一連プーリ
１８…ストッパー
２１…一連プーリ
【図１】
2006336308.tif 000003
【図２】
2006336308.tif 000004
【図３】
2006336308.tif 000005
【図４】
2006336308.tif 000006
【図５】
2006336308.tif 000007
【図６】
2006336308.tif 000008
【図７】
2006336308.tif 000009
【図８】
2006336308.tif 000010
【図９】
2006336308.tif 000011
【図１０】
2006336308.tif 000012